(57)【特許請求の範囲】
【請求項１】
流入口と流出口とオーバーフロー口とが形成された管路形成部材と、
前記流入口に接続され、前記管路形成部材に向かって雨水を導く流入管路と、
前記流出口に接続され、前記管路形成部材から雨水本管に向かって雨水を流出させる流出管路と、
前記オーバーフロー口に接続され、前記オーバーフロー口を通じて前記管路形成部材の外部に溢れ出した雨水を導くオーバーフロー管路と、
前記オーバーフロー管路の下流端に接続された雨水槽と、を備え、
前記オーバーフロー口は、前記管路形成部材の側面に形成され、
前記流入口の下端の位置は、前記オーバーフロー口の下端の位置よりも高く、
前記オーバーフロー口の下端の位置は、前記流出口の下端の位置よりも高い、雨水排出システム。
【請求項２】
前記流入口の下端の位置は、前記オーバーフロー口の上端の位置よりも高く、
前記オーバーフロー口の下端の位置は、前記流出口の上端の位置よりも高い、請求項１に記載の雨水排出システム。
【請求項３】
前記管路形成部材は、略鉛直方向に延びる略筒状体のますであり、
前記流入口は、前記ますの上面または側面に形成され、
前記流出口は、前記ますの側面または下面に形成されている、請求項１または２に記載の雨水排出システム。
【請求項４】
前記オーバーフロー管路は、フィルターを備えたますを含んでいる、請求項１〜３のいずれか一つに記載の雨水排出システム。
【請求項５】
雨水を流入させる流入管路が接続された流入口と、雨水を雨水本管に向かって流出させる流出管路が接続された流出口とが形成され、前記流入口の下端の位置が前記流出口の下端の位置よりも高い既設のますに対して、その下端の位置が前記流入口の下端の位置よりも低く且つ前記流出口の下端の位置よりも高いオーバーフロー口を形成する工程と、
雨水槽を設ける工程と、
前記ますの前記オーバーフロー口と前記雨水槽とを接続する管路を形成する工程と、
を備えた雨水排出システムの施工方法。
【請求項６】
フィルターを備えたますを介して第１の管と第２の管とを接続することによって、前記管路の少なくとも一部を構成する工程をさらに備えた、請求項５に記載の雨水排出システムの施工方法。
【発明の詳細な説明】
【技術分野】
【０００１】
本発明は、雨水排出システムおよび雨水排出システムの施工方法に関する。
【背景技術】
【０００２】
従来から、集中豪雨時等において、宅地等から雨水本管へ大量の雨水が流出してしまうことを抑制するために、雨水貯留槽または雨水浸透槽（以下、これらを単に「雨水槽」という）を備えた雨水排出システムが利用されている（例えば、下記特許文献１参照）。
【０００３】
ところで、既設の管路に雨水槽を増設することによって、上述のような雨水排出システムを構築したい場合がある。例えば、宅地内から宅地外の雨水本管に雨水を流出させる既設の管路として、図１１（ａ）に示すような管路１１０がある。この管路１１０は、ます１００に接続された流入管１０１と、雨水本管１０４に接続された流出管１０３と、落差調整ます１０２とから構成されている。流入管１０１の下流端は落差調整ます１０２の流入口に接続され、流出管１０３の上流端は落差調整ます１０２の流出口に接続されている。
【０００４】
このような管路１１０に雨水槽を設ける場合、例えば以下のような方法が考えられる。すなわち、図１１（ｂ）に示すように、流入管１０１および流出管１０３の一部を切断し、それらの間に雨水槽１０５を設置する方法が考えられる。なお、符号１０６は、雨水槽１０５の上流側および下流側に配置されたますである。あるいは、図１１（ｃ）に示すように、既設の管路１１０は廃棄し、雨水槽１０５を備えた新たな管路１１５を施工し直す方法が考えられる。すなわち、ます１００を新たなます１００ｂに交換し、このます１００ｂと雨水本管１０４との間に、流入管１０７と雨水槽１０５と流出管１０８とを備えた管路１１５を新たに施工する方法である。
【先行技術文献】
【特許文献】
【０００５】
【特許文献１】特開２００９−１５０５１２号公報
【発明の概要】
【発明が解決しようとする課題】
【０００６】
ところが、流入管１０１および流出管１０３の一部を切断してそれらの間に雨水槽１０５を設置する方法（図１１（ｂ）参照）では、施工に手間と時間がかかる。また、ます１００と雨水本管１０４との間の距離が短いと、ます１００と雨水本管１０４との間に雨水槽１０５を設置するスペースが確保できないという問題もある。
【０００７】
既設の管路１１０に代えて新たな管路１１５を設置する方法（図１１（ｃ）参照）では、既設の管路１１０を除去する作業は不要であり、設置スペースの問題も生じにくいが、流入管１０７および流出管１０８を新たに設置しなければならない。そのため、この方法でも施工に手間と時間がかかってしまう。また、新たな流入管１０７および流出管１０８が必要になる分、部材のコストアップが避けられない。
【０００８】
本発明はかかる点に鑑みてなされたものであり、その目的とするところは、施工に要する手間と時間が抑えられ、既設の管路を利用して構築することが可能な雨水排出システムを提供することにある。
【課題を解決するための手段】
【０００９】
本発明に係る雨水排出システムは、流入口と流出口とオーバーフロー口とが形成された管路形成部材と、前記流入口に接続され、前記管路形成部材に向かって雨水を導く流入管路と、前記流出口に接続され、前記管路形成部材から雨水本管に向かって雨水を流出させる流出管路と、前記オーバーフロー口に接続され、前記オーバーフロー口を通じて前記管路形成部材の外部に溢れ出した雨水を導くオーバーフロー管路と、前記オーバーフロー管路の下流端に接続された雨水槽と、を備え、前記オーバーフロー口は、前記管路形成部材の側面に形成され、前記流入口の下端の位置は、前記オーバーフロー口の下端の位置よりも高く、前記オーバーフロー口の下端の位置は、前記流出口の下端の位置よりも高いものである。
【００１０】
なお、本明細書において「管路」とは、水を導く通路を意味する。管路は単一の管から構成されていてもよいが、複数の管が継手やます等を介して接続されることによって構成されていてもよい。「管路形成部材」とは、管路の一部をなす部材をいう。管路形成部材には、例えば、ます、継手等が含まれる。「雨水槽」には、例えば雨水貯留槽、雨水浸透槽等が含まれる。
【００１１】
上記雨水排出システムでは、通常の降雨時等には、流入管路から管路形成部材に流れ込む雨水の量がそれほど多くないため、雨水はオーバーフロー管路には流れ込まず、専ら流出管路に流出し、雨水本管に放出される。一方、大雨等の際には、流入管路から管路形成部材に大量の雨水が流れ込むが、その一部はオーバーフロー管路を通じて雨水槽に導かれる。そのため、大量の雨水が雨水本管に放出されることが抑制される。また、仮に雨水本管から管路形成部材に雨水が逆流したとしても、その雨水はオーバーフロー管路を通じて雨水槽に導かれる。そのため、雨水が流入管路に逆流することは防止される。
【００１２】
また、上記雨水排出システムは、既設の流入管路、管路形成部材、および流出管路に対し、例えば、管路形成部材にオーバーフロー口を形成し、あるいは管路形成部材を交換したうえで、オーバーフロー管路および雨水槽を施工することによって、比較的手間と時間をかけずに構築することができる。そのため、施工に要する手間と時間を抑えつつ、既設の管路を利用して構築することが可能である。
【００１３】
前記雨水排出システムにおいて、前記流入口の下端の位置は、前記オーバーフロー口の上端の位置よりも高く、前記オーバーフロー口の下端の位置は、前記流出口の上端の位置よりも高くてもよい。
【００１４】
これにより、大量の雨水が雨水本管に放出されること、および流入管路に対する雨水の逆流が、より確実に防止される。
【００１５】
前記管路形成部材は、略鉛直方向に延びる略筒状体のますであり、前記流入口は、前記ますの上面または側面に形成され、前記流出口は、前記ますの側面または下面に形成されていてもよい。
【００１６】
このことにより、大量の雨水が雨水本管に放出されること、および流入管路に対する雨水の逆流が、より一層確実に防止される。
【００１７】
前記オーバーフロー管路は、フィルターを備えたますを含んでいてもよい。
【００１８】
このことにより、オーバーフロー管路を流れる雨水に異物が混入している場合、その異物はフィルターに捕捉される。そのため、雨水槽に異物が流入することが回避される。したがって、雨水槽の本来の性能を長期にわたって維持することができる。
【００１９】
本発明に係る雨水排出システムの施工方法は、雨水を流入させる流入管路が接続された流入口と、雨水を雨水本管に向かって流出させる流出管路が接続された流出口とが形成され、前記流入口の下端の位置が前記流出口の下端の位置よりも高い既設のますに対して、その下端の位置が前記流入口の下端の位置よりも低く且つ前記流出口の下端の位置よりも高いオーバーフロー口を形成する工程と、雨水槽を設ける工程と、前記ますの前記オーバーフロー口と前記雨水槽とを接続する管路を形成する工程と、を備えた方法である。
【００２０】
なお、前記管路を接続する工程は前記オーバーフロー口を形成する工程よりも後に行われるが、その他については、前記各工程の順序は特に限定されない。例えば、前記雨水槽を設ける工程は、前記管路を形成する工程よりも前に行われてもよく、後に行われてもよい。
【００２１】
上記施工方法によれば、既設の流入管路、流出管路、およびますを利用して、前述の雨水排出システムを施工することができる。したがって、施工に要する手間と時間を抑えつつ、また、部材コストを抑えつつ、前記雨水排出システムを構築することが可能となる。
【００２２】
前記施工方法において、フィルターを備えたますを介して第１の管と第２の管とを接続することによって、前記管路の少なくとも一部を構成する工程をさらに備えていてもよい。
【００２３】
このことにより、雨水槽に異物が流入することを抑制することができ、雨水槽の本来の性能を長期にわたって維持することができる。
【発明の効果】
【００２４】
以上のように、本発明によれば、施工に要する手間と時間が抑えられ、既設の管路を利用して構築することが可能な雨水排出システムを実現することができる。
【図面の簡単な説明】
【００２５】
【図１】雨水排出システムの平面図である。
【図２】図１のＩＩ−ＩＩ線断面図である。
【図３】流入口と流出口とオーバーフロー口との位置関係を説明する図である。
【図４】流入口と流出口とオーバーフロー口との位置関係を説明する図である。
【図５】通常の降雨時における雨水の流れを説明する図である。
【図６】大雨時における雨水の流れを説明する図である。
【図７】雨水本管から雨水が逆流してきたときの流れを説明する図である。
【図８】変形例に係る流入口と流出口とオーバーフロー口との位置関係を説明する図である。
【図９】変形例に係るますの斜視図である。
【図１０】分岐継手の斜視図である。
【図１１】（ａ）は既設の管路の説明図、（ｂ）および（ｃ）は既設の管路を利用して雨水排出システムを構築する従来の方法の説明図である。
【発明を実施するための形態】
【００２６】
以下、図面を参照しながら、本発明の実施の形態について説明する。図１は本実施形態に係る雨水排出システム１の平面図、図２は雨水排出システム１の鉛直方向に沿った断面図である。図１に示すように、雨水排出システム１は、流入管１１および流出管１２に接続されたます２０に、管路３０を介して雨水浸透槽５０を設けたものである。
【００２７】
図２に示すように、ます２０には、流入口２１および流出口２２が形成されている。流入口２１には流入管１１の下流端が接続され、流出口２２には流出管１２の上流端が接続されている。流出管１２の下流端は、雨水本管１３（図５参照）に接続されている。雨水排出システム１は、流出管１２の一部（すなわち、雨水本管１３との接続部分）を除き、宅地内に埋設されている。雨水本管１３は、宅地外に埋設されている。流入管１１は、宅地内で集めた雨水をます２０に向かって導く配管である。流出管１２は、ます２０から雨水本管１３に向かって雨水を排出する配管である。
【００２８】
図２に示すように、ます２０は、いわゆる落差調整ますである。流出口２２は流入口２１よりも低い位置に形成されている。ます２０には更に、流入口２１よりも低く且つ流出口２２よりも高い位置に、オーバーフロー口２３が形成されている。本実施形態では図１に示すように、平面視において、流入口２１と流出口２２とは対向する位置に形成されている。オーバーフロー口２３は、流入口２１から時計回り方向に９０度、流出口２２から反時計回り方向に９０度の位置に形成されている。
【００２９】
管路３０は、流入管１１からます２０に大量の雨水が流入してきた場合の雨水の一部、または流出管１２からます２０に逆流してきた雨水を雨水浸透槽５０に導くものである。管路３０は、管３１、ます３３、管３２、エルボ３５、および継手３６によって構成されている。管３１の上流端は、ます２０のオーバーフロー口２３に接続されている。管３１の下流端は、ます３３の流入口３３ａに接続されている。管３２の上流端は、ます３３の流出口３３ｂに接続されている。管３２の下流端は、エルボ３５および継手３６を介して、雨水浸透槽５０に接続されている。
【００３０】
図２に示すように、ます３３の内部には、フィルター３４が設けられている。本実施形態では、フィルター３４は着脱可能に取り付けられており、流出口３３ｂを覆うように配置されている。ただし、フィルター３４の取付位置や形状等は、何ら限定されない。管３１からます３３に流入する雨水に異物が含まれている場合、その異物はフィルター３４によって捕捉される。そのため、雨水浸透槽５０に異物が流入することが防止される。
【００３１】
図３は、流入口２１と流出口２２とオーバーフロー口２３との高さの関係を示す図である。図３に示すように、本実施形態では、流入口２１とオーバーフロー口２３と流出口２２とは、上下方向に関して互いに重ならない位置に形成されている。詳しくは、流入口２１の下端２１ｂの位置は、オーバーフロー口２３の上端２３ｔの位置よりも高くなっている。また、オーバーフロー口２３の下端２３ｂの位置は、流出口２２の上端２２ｔの位置よりも高くなっている。ただし、流入口２１とオーバーフロー口２３との位置関係、およびオーバーフロー口２３と流出口２２との位置関係は、上述の位置関係に限定される訳ではない。例えば図４に示すように、流入口２１の下端２１ｂの位置が、オーバーフロー口２３の上端２３ｔの位置よりも低くてもよい。また、オーバーフロー口２３の下端２３ｂの位置が、流出口２２の上端２２ｔの位置よりも低くてもよい。
【００３２】
図２に示すように、雨水浸透槽５０は、複数の貯留材５１と、それら貯留材５１の周囲を覆う透水シート５２とを備えている。貯留材５１は、多数の孔５１ａが形成された中空体によって構成されている。貯留材５１は、前後方向、左右方向、および上下方向に複数配置されている。ただし、貯留材５１の種類は何ら限定されず、また、貯留材５１の配置方法も何ら限定されない。このように、中空体からなる複数の貯留材５１が透水シート５２に覆われていることにより、貯留材５１の内部および隣り合う貯留材５１の間の空間に雨水を貯留することができると共に、透水シート５２を通じて雨水を地中に浸透させることができる。
【００３３】
以上が雨水排出システム１の構成である。次に、図５および図６を参照しながら、雨水排出システム１の機能を説明する。
【００３４】
前述したように、オーバーフロー口２３は流出口２２よりも高い位置に形成されている（図２参照）。そのため、通常の降雨時のように、流入管１１からます２０に流入する雨水の量が少ない場合には、ます２０内の水位は、オーバーフロー口２３の下端２３ｂよりも低くなる。その結果、図５に示すように、ます２０内の雨水は、管３１には流れ込まず、専ら流出管１２を通じて雨水本管１３に排出されることになる。
【００３５】
一方、大雨時には、流入管１１からます２０に大量の雨水が流れ込み、ます２０内の水位は、オーバーフロー口２３の下端２３ｂよりも高くなる。その結果、図６に示すように、ます２０内の雨水は、流出管１２だけでなく、管３１にも流れ込む。そのため、一部の雨水は雨水本管１３に排出され、残りの雨水は雨水浸透槽５０に排出されることになる。したがって、過剰な量の雨水が雨水本管１３に排出されることを抑制することができる。
【００３６】
また、図７に示すように、大雨時には、雨水本管１３の雨水がます２０に向かって逆流してくる場合がある。しかし、そのような場合、ます２０に流入した雨水は、管３１を通じて雨水浸透槽５０に排出される。そのため、雨水がます２０に逆流してきたとしても、その雨水が流入管１１に向かって逆流することは抑えられる。
【００３７】
次に、雨水排出システム１の施工方法について説明する。本実施形態に係る雨水排出システム１は、配管等が設置されていない場所に新たに設置することができるのは勿論、既設の管路を利用して構築することも可能である。以下では、既設の管路として、流入管１１、ます２０（ただし、オーバーフロー口２３は形成されていないものとする）、および流出管１２が既に設置されている場所に、これら流入管１１、ます２０、および流出管１２を利用して雨水排出システム１を施工する方法を説明する。ただし、以下に説明する方法は、雨水排出システム１の施工方法の一例に過ぎず、雨水排出システム１を他の方法で施工してもよいことは勿論である。また、以下に説明する工程の順序は何ら限定されず、適宜変更してもよい。
【００３８】
まず、ます２０にオーバーフロー口２３を形成する。ます２０が樹脂製である場合、オーバーフロー口２０は容易に形成することができる。次に、雨水浸透槽５０を設置する。詳しくは、地面を掘って孔を形成し、その孔に透水シート５２を敷いたうえで、透水シート５２上に複数の貯留材５１を配置する。そして、透水シート５２でそれら貯留材５１を覆う。これにより、雨水浸透槽５０が完成する。次に、管路３０を設置する。例えば、継手３６（図２参照）の一端を雨水浸透槽５０に接続し、継手３６の他端にエルボ３５を接続する。また、ます２０と雨水浸透槽５０との間に、ます３３を設置する。そして、管３１の一端をます２０のオーバーフロー口２３に接続し、管３１の他端をます３３の流入口３３ａに接続する。また、管３２の一端をます３３の流出口３３ｂに接続し、管３２の他端をエルボ３５に接続する。これにより、雨水排出システム１の施工が完了する。
【００３９】
以上のように、雨水排出システム１によれば、大雨時には、ます２０内に流入した雨水のすべてを雨水本管１３に排出するのではなく、雨水の一部を雨水浸透槽５０に排出する。そのため、雨水本管１３への雨水の排出量を抑制することができる。また、雨水本管１３からます２０に雨水が逆流してきた場合、その雨水を雨水浸透槽５０に排出することができる。そのため、雨水が流入管１１に逆流することを防止することができる。したがって、流入管１１の上流側に位置する排水設備（図示せず）から雨水が溢れ出すことを防止することができる。
【００４０】
また、雨水排出システム１は、既設の管路を利用して施工することができる。そのため、施工に要する手間と時間を抑えつつ雨水排出システム１を構築することができる。また、雨水排出システム１によれば、既設の管路上（すなわち、図５におけるます１５、流入管１１、ます２０、および流出管１２を結んだ線上）に雨水浸透槽５０を設置する必要がない。そのため、既設の管路上に雨水浸透槽５０の設置スペースを確保できなくても、雨水排出システム１を施工することが可能である。
【００４１】
また、雨水排出システム１によれば、宅地内で集めた雨水を雨水浸透槽５０に常に排出する訳ではないので、雨水浸透槽５０の利用頻度を抑えることができる。そのため、雨水浸透槽５０のメンテナンス回数を減らすことができる。
【００４２】
本実施形態では、ます２０の流入口２１の下端２１ｂの位置がオーバーフロー口２３の上端２３ｔの位置よりも高く、オーバーフロー口２３の下端２３ｂの位置が流出口２２の上端２２ｔの位置よりも高い。そのため、大量の雨水が雨水本管１３に放出されること、および雨水が流入管１１に逆流することを、より確実に防止することができる。
【００４３】
また、本実施形態では、ます２０と雨水浸透槽５０との間に、フィルター３４を備えたます４０が設置されている。そのため、雨水に含まれる異物が雨水浸透槽５０に流入することを防止することができる。したがって、雨水浸透槽５０の性能の劣化が抑制され、雨水浸透槽５０の本来の性能を長期にわたって維持することが可能となる。
【００４４】
なお、前述したように、ます２０における流入口２１と流出口２２とオーバーフロー口２３との位置関係は、前記実施形態のもの（図３参照）に限定される訳ではない。流入口２１の下端２１ｂの位置がオーバーフロー口２３の下端２３ｂの位置よりも高く、オーバーフロー口２３の下端２３ｂの位置が流出口２２の下端２２ｂの位置よりも高ければよい。流入口２１の下端２１ｂとオーバーフロー口２３の上端２３ｔとの位置の差ｈ１は、オーバーフロー口２３の下端２３ｂと流出口２２の上端２２ｔとの位置の差ｈ２と等しくてもよいが、図８に示すように、ｈ１がｈ２よりも大きくてもよい。このように、流入口２１と流出口２３との中間の位置よりも下方にオーバーフロー口２３を設けることとすれば、中間の位置にオーバーフロー口２３を設けた場合と比較して、ます２０内の水位がより低いときから、ます２０内の雨水を雨水浸透槽５０に排出することができる。すなわち、雨水浸透槽５０に対して、より積極的に排水を排出することができる。ただし、オーバーフロー口２３の位置は、大雨時等における雨水本管１３に対する排水量と雨水浸透槽５０に対する排水量とのバランスを考慮して、適宜に設定することができる。オーバーフロー口２３の位置は何ら限定される訳ではない。
【００４５】
流入口２１、流出口２２、およびオーバーフロー口２３の形状および寸法も、何ら限定されない。例えば、オーバーフロー口２３の寸法は、流入口２１および流出口２２の各寸法と同じであってもよいが、それらよりも小さくてもよく、大きくてもよい。なお、オーバーフロー口２３の寸法を大きくすると、ます２０内の雨水を雨水浸透槽５０に対してより積極的に排出することができる。ただし、オーバーフロー口２３の寸法も、雨水本管１３に対する排水量と雨水浸透槽５０に対する排水量とのバランスを考慮して、適宜に設定することができる。
【００４６】
前記実施形態では、流入口２１、流出口２２、およびオーバーフロー口２３は、いずれもます２０の側面に形成されていた。しかし、図９に示すように、流入口２１は、ます２０の上面２０ａに形成されていてもよい。また、流出口２２は、ます２０の下面に形成されていてもよい。図９に示す例では、ます２０は底部が開口したいわゆるドロップますであり、流出口２２は、ます２０の下面の全体に形成されている。
【００４７】
前記実施形態では、流入口２１と流出口２２とオーバーフロー口２３とが形成された管路形成部材は、ます２０であった。しかし、本発明に係る管路形成部材は、ます２０に限定される訳ではない。例えば、図１０に示すように、流入口２１と流出口２２とオーバーフロー口２３とが形成された管路形成部材として、Ｔ型の分岐継手４０を用いてもよい。また、管路形成部材として、他の形状の分岐継手等を用いることも可能である。
【００４８】
前記実施形態では、雨水排出システム１の施工に際して、既設の流入管１１、流出管１２、およびます２０を流用することとした。しかし、流入管１１および流出管１２を流用しつつ、既設のますを他のますと交換することも可能である。例えば、流入口と流出口とが形成された既設のますを、流入口２１と流出口２２とオーバーフロー口２３とが形成された新しいます２０と交換するようにしてもよい。なお、この新しいます２０においても、流入口２１の下端２１ｂの位置は、オーバーフロー口２３の下端２３ｂの位置よりも高く、オーバーフロー口２３の下端２３ｂの位置は、流出口２２の下端２２ｂの位置よりも高い。この場合、ますの交換作業が必要となるが、既設のますにオーバーフロー口２３を形成する作業が不要となる。施工現場の状況により、オーバーフロー口２３を形成する作業よりもますを交換する作業の方が容易な場合には、このようにますを交換するようにしてもよい。
【００４９】
前記実施形態では、雨水槽として、複数の単位部材（すなわち、貯留材５１）と透水シート５２とから構成される雨水浸透槽５０を用いていた。しかし、雨水槽は、他の構造を有する雨水浸透槽であってもよい。また、本発明に係る雨水槽は、貯留した雨水を地中に浸透させる機能を有する雨水槽、すなわち雨水浸透槽に限られない。雨水槽として、雨水を地中に浸透させない雨水貯留槽を用いることも可能である。
【符号の説明】
【００５０】
１      雨水排出システム
１１    流入管（流入管路）
１２    流出管（流出管路）
２０    ます（管路形成部材）
２１    流入口
２２    流出口
２３    オーバーフロー口
３０    管路（オーバーフロー管路）
３１    管（第１の管）
３２    管（第２の管）
３３    ます
３４    フィルター
５０    雨水浸透槽（雨水槽）
【図１】
0005457889.tif 000002
【図２】
0005457889.tif 000003
【図３】
0005457889.tif 000004
【図４】
0005457889.tif 000005
【図５】
0005457889.tif 000006
【図６】
0005457889.tif 000007
【図７】
0005457889.tif 000008
【図８】
0005457889.tif 000009
【図９】
0005457889.tif 000010
【図１０】
0005457889.tif 000011
【図１１】
0005457889.tif 000012